(57)【要約】【課題】本発明は、長柄を有し、ロープ延長開始鉤及び延長終了鉤の下端に直結したロープ貫通穴を有する遊挿ストッパーと、本体の乙字形ロープ案内溝に２箇所のロープ曲折部を有する洗濯物干しロープの延長具を提供する。【解決手段】本体下部に長柄を設け、本体上部の右側にロープ延長開始鉤を設け、左側に延長終了掛止鉤を設け、其の鉤の下端に直結したロープ貫通穴を有するストッパーを設け、本体の内部にロープ案内溝を設け、案内溝の２箇所にロープ曲折部を策定、各機能部にロープを挿入して行うことを特徴とする。【選択図】  図１
2005342474.tif 000002
【特許請求の範囲】
【請求項１】
本体下部に長柄を設け、本体上部の右側にロープ延長開始鉤を設け、左側に延長終了掛止鉤を設け、其の鉤の下端に直結したロープ貫通穴を有するストッパーを設け、本体の内部にロープ案内溝を設け、案内溝の２箇所にロープ曲折部を策定、各機能部にロープを挿入して行うことを特徴とする洗濯物干しロープの延長具。
【発明の詳細な説明】
【技術分野】
【０００１】  本発明は、長柄を有し、ロープ延長開始鉤及び、延長終了鉤の下端に直結したロープ貫通穴を有する遊挿ストッパーと、本体の乙字形ロープ案内溝に２箇所のロープ曲折部を有する物干しロープの延長具に関するものである。
【背景技術】
【０００２】  従来、ロック式の洗濯物干しロープがあった。
【発明の開示】
【発明が解決しようとする課題】
【０００３】  そのために次のような問題点があった。
（イ）ロープ延長時や収納時に踏み台を必要とし、干し物作業中に踏み台が転倒して、足を骨折されたご婦人もあった。
（ロ）ロープ延長開始時や延長終了時に、ロープのロックが必要であり、故にロープを２重に折り曲げて、ロープ滑り止めＳ字形部にロープをはめ込みロックする必要があり、２箇所に大きな瘤が出来、ハンガー等で干し物をする場合、其の時に適応して、ずらし乍ら適当な位置や間隔を取って、有効に利用することが難しかった。
又、不用になった場合、２箇所のロック解放作業が必要であり、斯様な一連の作業に時間を要し、特にご婦人や子供には至難であった。
本発明は、これらの問題点を解決するためのものである。
【課題を解決するための手段】
【０００４】  本体の下部に直結した長柄を設け、延長開始鉤及び、延長終了鉤を設ける。
終了鉤の直下にロープ貫通穴を有する遊挿ストッパーを設ける。
本体ストッパー挿入溝の両側にロープ貫通穴を設ける。
本体に乙字形ロープ案内溝を施し、且つ案内溝の２箇所にロープ曲接部を設ける。
以上を特徴とする洗濯物干しロープの延長具である。
【発明の効果】
【０００５】  老弱でも、又高い所や屋内外を問わず、容易にロープの延長が可能であり、洗濯物を始め、其の他の干し物に活用できる。
特に延長されたロープは、従来の物干しロープとは異なり、凸面がなく滑らかであり、干し物の量に応じて、ずらし乍ら適度な間隔を取って、素早く干すことが出来る。
尚、取り入れに当たっては、ずらして１箇所に集め、一度に全部取り入れることが可能であり、作業が簡略され手っ取り早い。
因みにマンション等のベランダで、ロープが垂れたままの状態で、ハンガー等で干されている所を見かけるが、大変見苦しい。
故に通念上、ロープでの干し物は抵抗があり、あまり歓迎されなかった。
しかし、高い所へ上を向いて行う手作業での繋着方法で、ロープをピンと張るのは至難の業である。
故に本発明により、斯様な先入観を一新することを可能にした。
それは、延長終了掛止鉤まで緊張したままの状態で延長されたロープが、遊挿ストッパーや其の他の機能により、掛止鉤を掛けるだけで予想以上の効果を呈し、即時ロープを固定させる。
故にロープがずれたり、垂れることがない。
斯様な観点から、尚一層の効用を高めるために、戸外に於いて、場所に依っては植木の技等を利用し、屋内に於いてはカーテンレールの利用が望ましい。
尚其の他工夫すれば、色々な面で利用することが可能である。
依って安全且つ有効利用が出来る。
【発明を実施するための最良の形態】
【０００６】  以下、本発明の実施の形態について説明する。
（イ）本体（１）の上部、右側にロープ延長開始鉤（２）を設け、その鉤本を楕円形鉤本挿脱部（３）を策定した（図１）。
（ロ）上記の鉤本楕円形挿脱部（３）との係合を考慮し、Ｕ字形鉤本挿脱遊挿穴（４）としたことにより、ロープ延長の際、掛止箇所の形状に即して鉤を回せば、何れの方向からでも掛止が可能である（図２）。
（ハ）本体（１）に、乙字形ロープ案内溝（５）を設ける（図１）。
その案内溝にロープ曲折部（７）を２箇所設ける。
（ニ）本体（１）に遊挿ストッパー（８）を設け（図１）、その遊挿ストッパー（８）にロープ延長終了掛止鉤（９）を設け（図４）、遊挿ストッパー（８）のにロープ貫通穴（１０）を設ける（図４）。
（ホ）本体（１）にストッパー挿入溝（１１）を設ける（図２）。
その挿入溝の本体、内外両サイドにロープ貫通穴（１２）を設ける。
（ヘ）前記（ニ）、（ホ）で述べた遊挿ストッパー（８）（図４）をストッパー挿入溝（１１）へ挿入する（図２）。
（ト）ロープ（６）を本体ロープ貫通穴（１２）の外側より（図２）、順次遊挿ストッパー（１０）のロープ貫通穴を通し（図４）、乙字形案内溝（５）を通せば（図２）、Ｕ字形鉤本挿脱遊挿穴（４）に到達する。
ロープの挿通は容易にできる。
（チ）最後に楕円形鉤本挿脱部（３）（図３）のロープ貫通結合穴（１５）にロープを結合し、本体ロープ貫通穴（１２）の外側に見られる（図２）。
ロープ（６）を引けば、自らＵ字形鉤本挿脱遊挿穴（４）に追従遊着する（図１）。
本発明は以上のような構成で、これを使用するときは、柄（１３）をもち、ロープ延長開始鉤（２）を所定の箇所に掛け、次の目的掛止箇所まで延長する（図１）。
延長は容易である延長終了掛止鉤（９）を所定の箇所に掛けると、遊挿ストッパー（８）のみが上に微動する。
其の作動により、ロープ貫通穴（１０）に通されたロープが、上に追従する（図４）。
故に本体ロープ貫通穴（１２）の内外両サイドに密着する（図２）。
故にこれらの貫通穴及び、ロープに相互の摩擦が生じる。
斯様な摩擦の働きにより、延長ロープのズレを阻止する。
尚、万一のロープのズレを考慮し、万全を期するため、本体（１）に乙字形ロープ案内溝（５）を設け、その２箇所にロープが曲折部（７）の接点に接触して起きる摩擦力と上記延長終了掛止鉤（９）、遊挿ストッパー（８）、本体ロープ貫通穴内外両サイド（１２）との合力により、ロープ張り器の要であるロープのズレを完全に排除した（図２）。
尚、本器具は、干し物に依りロープに荷重が伴うことで、各機能に一層強度な摩擦力が働き、掛止操作に不手際があってもロープズレの懸念がない。
使用終了後は、ロープ延長終了掛止鉤（９）を外せば自動的にストッパーが解除される（図１）。
ロープを手繰れば、Ｕ字形鉤本挿脱遊挿穴（４）に遊着する（図１）。
ロープをロープ掛け（１４）に掛ければ、一連の作業が終了する（図１）。
以上を秦する。
【図面の簡単な説明】
【０００７】
【図１】本発明の実施例を示す斜視図
【図２】本発明の一部を切り欠いた本体断面図
【図３】ロープ延長開始鉤兼楕円形鉤本挿脱部斜視図
【図４】ロープ延長終了掛止鉤兼遊挿ストッパー斜視図
【符号の説明】
【０００８】  １  本体
２  ロープ延長開始鉤
３  楕円形鉤本挿脱部
４  Ｕ字形鉤本挿脱遊挿穴
５  乙字形ロープ案内溝
６  ロープ
７  ロープ曲折部２箇所
８  遊挿ストッパー
９  ロープ延長終了掛止鉤
１０  ストッパー貫通穴
１１  ストッパー挿入溝
１２  本体ロープ貫通穴内外両サイド
１３  柄
１４  ロープ掛け
１５  ロープ貫通結合穴
【図１】
2005342474.tif 000003
【図２】
2005342474.tif 000004
【図３】
2005342474.tif 000005
【図４】
2005342474.tif 000006